(57)【要約】【課題】水位調整時の作業性を向上できる洗浄水タンク装置を提供する。【解決手段】洗浄水タンク装置１０は、洗浄水を貯水するロータンク１１と、ロータンク１１内への給水および止水を制御するボールタップ１２と、ロータンク１１内に貯水された水の一部を内部に流入させ、内部に貯まった水でボールタップ１２の浮き１５を動作させる内タンク部２０とを備える。内タンク部２０は、内タンク本体２１と、内タンク本体２１内への水の流入高さを規定する水位調整部材２２と、水位調整部材２２を上下にスライド可能に支持するスライド支持機構とを備える。【選択図】図２
2015190110.tif 000002
【特許請求の範囲】
【請求項１】
洗浄水を貯水するタンクと、
前記タンク内への給水および止水を制御するボールタップと、
前記タンク内に貯水された水の一部を内部に流入させ、内部に貯まった水で前記ボールタップの浮きを動作させる内タンク部と、
を備え、
前記内タンク部は、
内タンク本体と、
前記内タンク本体内への水の流入高さを規定する水位調整部材と、
前記水位調整部材を上下にスライド可能に支持するスライド支持機構と、
を備えることを特徴とする洗浄水タンク装置。
【請求項２】
前記スライド支持機構は、複数の高さで前記水位調整部材を保持可能とする保持構造を備えることを特徴とする請求項１に記載の洗浄水タンク装置。
【請求項３】
前記内タンク本体に対する前記水位調整部材の保持高さを示す目盛部をさらに備えることを特徴とする請求項１または２に記載の洗浄水タンク装置。
【請求項４】
前記水位調整部材は、前記内タンク本体よりも外側に設けられることを特徴とする請求項１から３のいずれかに記載の洗浄水タンク装置。
【発明の詳細な説明】
【技術分野】
【０００１】
本発明は、洗浄水タンク装置に関し、特に水位調整が可能な洗浄水タンク装置に関する。
【背景技術】
【０００２】
従来より、ロータンク内に内タンクを設け、該内タンク内に流入した水により浮きを動作させることでボールタップの給水および止水を制御できるようにした洗浄水タンク装置が知られている。
【０００３】
例えば特許文献１には、水位調整を目的として、内タンクの上面高さをプレートを用いて調整できるように構成されたロータンク構造が開示されている。特許文献１に開示されたロータンク構造は、内タンクの上面側に凹部を開口させ、該凹部に２以上のプレートを着脱可能に取り付ける構成とされている。凹部に着脱するプレートの数を適宜変更することで、水位を２段階以上に調整することができる。
【先行技術文献】
【特許文献】
【０００４】
【特許文献１】特開２００１−１５９１７４号公報
【発明の概要】
【発明が解決しようとする課題】
【０００５】
しかしながら、特許文献１に開示されたロータンク構造では、水位を調整するためにプレートの着脱作業を要するため、トイレ施工時およびメンテナンス時の作業性に課題がある。
【０００６】
本発明は、このような課題に鑑みてなされ、その目的は、水位調整時の作業性を向上できる洗浄水タンク装置を提供することにある。
【課題を解決するための手段】
【０００７】
上記課題を解決するために、本発明のある態様の洗浄水タンク装置は、洗浄水を貯水するタンクと、タンク内への給水および止水を制御するボールタップと、タンク内に貯水された水の一部を内部に流入させ、内部に貯まった水でボールタップの浮きを動作させる内タンク部とを備える。内タンク部は、内タンク本体と、内タンク本体内への水の流入高さを規定する水位調整部材と、水位調整部材を上下にスライド可能に支持するスライド支持機構とを備える。
【０００８】
この態様によると、プレートの着脱作業は必要なく、単に水位調整部材を上下にスライドさせるだけで水位調整が可能となる従って、水位調整時の作業性を向上することができる。
【０００９】
スライド支持機構は、複数の高さで水位調整部材を保持可能とする保持構造を備えてもよい。この場合、複数のプレートを用意する必要はなく、一つの水位調整部材を用いて水位を２段階以上に調整することができるため、部品点数が削減され、低コスト化を図ることができる。
【００１０】
内タンク本体に対する水位調整部材の保持高さを示す目盛部をさらに備えてもよい。この場合、タンクに設定した水位を即座に確認することができるため、水位調整時の作業性をより一層向上することができる。
【００１１】
水位調整部材は、内タンク本体よりも外側に設けられてもよい。この場合、内タンク本体内で動作する浮きと水位調整部材との干渉を防止することができる。
【発明の効果】
【００１２】
本発明によれば、水位調整時の作業性を向上できる洗浄水タンク装置を提供できる。
【図面の簡単な説明】
【００１３】
【図１】本発明の実施形態に係る洗浄水タンク装置が用いられるトイレユニットを示す斜視図である。
【図２】本発明の実施形態に係る洗浄水タンク装置を説明するための斜視図である。
【図３】内タンク部の斜視図である。
【図４】内タンク部の正面図である。
【図５】内タンク部の上面図である。
【図６】図４に示す内タンク部のＡ−Ａ断面図である。
【図７】内タンク本体の正面図である。
【図８】図８（ａ）および（ｂ）は、水位調整部材を示す図である。
【図９】把持部周辺の拡大斜視図である。
【図１０】図１０（ａ）および（ｂ）は、内タンク本体に対して水位調整部材の高さを変化させた様子を示す図である。
【発明を実施するための形態】
【００１４】
以下、図面を参照して本発明の実施形態に係る洗浄水タンク装置について詳細に説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００１５】
図１は、本発明の実施形態に係る洗浄水タンク装置１０が用いられるトイレユニット１００を示す斜視図である。トイレユニット１００は、キャビネット１１０と、便器１２０と、手洗装置１３０を備える。
【００１６】
キャビネット１１０には、洗浄水タンク装置１０が収容されるタンク収納部（図示せず）が設けられ、タンク収納部の前方には前板１１１が設けられる。前板１１１の前方には便器１２０が設置される。前板１１１の左右方向両側には側板１１３が開閉可能に設けられ、側板１１３の奥側には物品収納部（図示せず）が設けられる。キャビネット１１０の上部にはカウンター１１５が設置され、カウンター１１５の左右方向の一端側には手洗装置１３０が設置される。
【００１７】
図２は、本発明の実施形態に係る洗浄水タンク装置１０を説明するための斜視図である。図２に示すように、洗浄水タンク装置１０は、洗浄水を貯水するロータンク１１と、ロータンク１１内への給水および止水を制御するボールタップ１２と、タンクレバー１３と、オーバーフロー管１４と、排水弁１７と、排水弁１７に接続された鎖１８と、手洗装置１３０（図１参照）に給水するための給水管１９と、内タンク部２０とを備える。内タンク部２０は、ロータンク１１内に固定されている。ボールタップ１２は、内タンク部２０内に設けられる浮き１５と、該浮き１５と連結されたアーム１６と、ロータンク１１内に洗浄水を給水するための洗浄水給水部３６とを含む。内タンク部２０は、ロータンク１１内に貯水された水の一部を内部に流入させ、内部に貯まった水で浮き１５を動作させる。浮き１５の動作により、ロータンク１１内への給水および止水が制御される。
【００１８】
図３は、内タンク部２０の斜視図である。図４は、内タンク部２０の正面図である。図５は、内タンク部２０の上面図である。図６は、図４に示す内タンク部２０のＡ−Ａ断面図である。図３乃至図６に示すように、内タンク部２０は、内タンク本体２１と、水位調整部材２２と、浮子２３とを備える。図７は、内タンク本体２１の正面図である。
【００１９】
内タンク本体２１は、上面が解放された有底箱状に形成されており、底面２１ａと、右側面２１ｂと、左側面２１ｃと、前面２１ｄと、背面２１ｅとを有する。右側面２１ｂ、左側面２１ｃの上端には、引っ掛け部２１ｆ、２１ｇが形成されている。これらの引っ掛け部２１ｆ、２１ｇがロータンク１１の前面、背面に引っ掛け状に取り付けられることで、内タンク部２０はロータンク１１内に固定される（図２参照）。また、前面２１ｄの上端側には、前面２１ｄをコの字状に切り欠いて凹部２４が形成されている。また、底面２１ａには、底孔２５が形成されている。
【００２０】
内タンク本体２１の底面２１ａの底孔２５には、浮子２３が設けられる。図６の断面図に示すように、浮子２３は、有底円筒形状を有し、その底面には複数の立片２３ｂが立設されており、各立片２３ｂの上端には、外側へ突出して爪２３ｃが形成されている。この浮子２３は、各立片２３ｂを内タンク本体２１の底孔２５に対し底側より上方へ差し込んで、爪２３ｃを底孔２５の上面に掛止することで、内タンク本体２１の底面２１ａに取り付けられる。洗浄水の存在しない状態では、浮子２３は重力により下方へ移動して、爪２３ｃが底孔２５の上面に係止されて底面２１ａから吊り下げられた状態に保持される。
【００２１】
図８（ａ）および（ｂ）は、水位調整部材２２を示す。図８（ａ）は、水位調整部材２２の上面図であり、図８（ｂ）は、水位調整部材２２の正面図である。
【００２２】
水位調整部材２２は、内タンク本体２１の凹部２４を外側から覆い塞ぐように設けられる。水位調整部材２２は、内タンク本体２１内への水の流入高さを規定する機能を有する。本実施形態において、水位調整部材２２は、内タンク本体２１に対して上下にスライド可能に支持されている。内タンク本体２１に対して水位調整部材２２を上下にスライドさせることで、内タンク本体２１内への水の流入高さを変化させることができ、ひいてはロータンク１１内の洗浄水の水位を調整することができる。
【００２３】
水位調整部材２２は、略長方形状のプレート部２６と、プレート部２６の両側部に設けられた把持部２７と、プレート部２６の上部に設けられた摘み部２８とを備える。把持部２７は、プレート部２６を内タンク本体２１に支持するための部分であり、内タンク本体２１の凹部２４の側壁２９を狭持するように形成される。摘み部２８は、プレート部２６を上下にスライドさせる際に手でつまむ部分であり、プレート部２６の上部から内タンク本体２１の外側方向に張り出すように形成される。上記のプレート部２６の把持部２７と、内タンク本体２１の凹部２４の側壁２９は、水位調整部材２２を内タンク本体２１に対して上下にスライド可能に支持するスライド支持機構を構成している。
【００２４】
さらに、本実施形態におけるスライド支持機構は、複数の高さで水位調整部材２２を内タンク本体２１に保持可能とする保持構造を備える。図９は、把持部周辺の拡大斜視図である。保持構造３０は、ラッチ機構により実現されており、水位調整部材２２の把持部２７に形成された保持片部３１と、内タンク本体２１における凹部２４の側壁２９に形成された複数の保持溝部３２とから構成される。複数の保持溝部３２は、凹部２４の側壁２９の上下方向に並んで形成されている。図９に示すように、水位調整部材２２の保持片部３１が内タンク本体２１の保持溝部３２に係止されることにより、水位調整部材２２は内タンク本体２１に対して位置が固定される。保持片部３１がある保持溝部３２に係止された状態で水位調整部材２２を上下にスライドさせると、保持片部３１が撓んで該保持溝部３２との係止が外れ、隣接する保持溝部３２に係止される。このような保持構造３０を備えることにより、水位調整部材２２を内タンク本体２１に対して複数の高さで固定することができる。
【００２５】
本実施形態において、水位調整部材２２は、内タンク本体２１の前面２１ｄよりも外側に設けられている。すなわち、水位調整部材２２のプレート部２６の下部および左右両側部は、内タンク本体２１の前面２１ｄと重なっており、プレート部２６におけるこれらの重なり部分が、内タンク本体２１の前面２１ｄよりも外側に設けられているのである。水位調整部材２２を内タンク本体２１に対して下方にスライドさせると、プレート部２６の下部と内タンク本体２１の前面２１ｄとの重なり部分は大きくなる。このように水位調整部材２２を内タンク本体２１の前面２１ｄよりも外側に設けることで、内タンク本体２１内で上下に移動する浮き１５と水位調整部材との干渉を防止することができる。また、このように構成することで、内タンク部２０内に水が入っていない状態では、内タンク部２０の内外の水圧差により水位調整部材２２のプレート部２６が内タンク本体２１の前面２１ｄ側に押されるため、内タンク本体２１の前面２１ｄとプレート部２６との隙間を小さくすることができる。この隙間が小さくなることで、ロータンク１１の水位調整をより正確に行うことができる。
【００２６】
図１０（ａ）および（ｂ）は、内タンク本体２１に対して水位調整部材２２の高さを変化させた様子を示す。内タンク本体２１に対する水位調整部材２２の高さが図１０（ａ）に示す状態のとき、水位調整部材２２を上方にスライドさせることで、図１０（ｂ）に示すように内タンク本体２１に対する水位調整部材２２の位置を高くすることができる。
【００２７】
ここで、内タンク部２０は、内タンク本体２１に対する水位調整部材２２の保持高さを示すための目盛部３３を備える。この目盛部３３は、内タンク本体２１の前面２１ｄに記載された目盛（数字「１」〜「７」）３４と、水位調整部材２２の下部に形成された目盛孔３５とから構成される。目盛３４の数字「１」〜「７」は、内タンク本体２１の前面２１ｄに上下方向に並んで記載されている。目盛３４における数字の間隔は、保持溝部３２の間隔と同じである。目盛孔３５の直径は、目盛３４の一つの数字よりも若干大きく形成されている。水位調整部材２２を内タンク本体２１に対して上下方向にスライドさせると、目盛孔３５内に見える数字が変わる。施工時やメンテナンス時の水位調整の際には、この目盛部３３を参照することで、内タンク部２０に対する内タンク本体２１の高さ、言い換えると、ロータンク１１に対して設定される水位を知ることができ、作業性の向上を図ることができる。
【００２８】
以下、主に図２を参照して、本実施形態に係る洗浄水タンク装置１０の動作について説明する。ロータンク１１内に水が貯まった状態でタンクレバー１３が回されると、これに連動して鎖１８が引き上げられて排水弁１７が開いて水が便器に流れる。
【００２９】
ロータンク１１内の水位が下がると、それに連動して排水弁１７が閉じる。また、水が便器に流れ出てロータンク１１の水位が下がると、内タンク部２０内に設けられた浮き１５も下がり、アーム１６を介してボールタップ１２が開弁して洗浄水給水部３６から水がロータンク１１内に供給される。ロータンク１１の水位が上昇すると、まず浮子２３が上方に移動する。これにより、底孔２５から内タンク本体２１内への水の侵入が無くなり、内タンク本体２１内への流入経路は水位調整部材２２（プレート部２６）の上端からとなる。
【００３０】
水位調整部材２２の上端から流入した水は、内タンク本体２１の水位を上げる。内タンク部２０の水位が上がると浮き１５も上がり、アーム１６を介してボールタップ１２が閉弁してロータンク１１内への給水が止まる。ロータンク１１内に立設されたオーバーフロー管１４は、ボールタップ１２が故障した際に、ロータンク１１外に水があふれるのを防ぐ役割を有する。
【００３１】
本実施形態に係る洗浄水タンク装置１０では、摘み部２８をつまんで内タンク本体２１に対して水位調整部材２２を上下にスライドさせると、保持片部３１が保持溝部３２に係合して水位調整部材２２が固定される。内タンク本体２１に対する水位調整部材２２の高さが変わることで、内タンク本体２１内への水の流入高さが変わるため、ロータンク１１の水位を変えることができる。
【００３２】
ここで、本実施形態に係る洗浄水タンク装置１０では、図４、図７に示すように、内タンク本体２１の左側面２１ｃの下部２１ｈがテーパ形状とされている。これにより、内タンク本体２１内の容積をテーパ形状としなかった場合と比べて減らすことができる。内タンク本体２１内の容積を低減することで、ロータンク１１の水位が水位調整部材２２の上端を超えてから浮き１５を押し上げるまでの時間が短くなるので、ロータンク１１の水位調整をより正確に行うことができる。
【００３３】
本実施形態に係る洗浄水タンク装置１０によれば、上記特許文献１に記載されるようなプレートの着脱作業は必要なく、単に水位調整部材２２を上下にスライドさせるだけで水位調整が可能である。従って、水位調整時の作業性を向上することができる。
【００３４】
また、上述の特許文献１に記載されるように複数のプレートを用意する必要はなく、一つの水位調整部材２２を用いて水位を２段階以上に調整することができるため、部品点数が削減され、低コスト化を図ることができる。
【００３５】
さらに、本実施形態に係る洗浄水タンク装置１０では、目盛部３３を設けたことにより、ロータンク１１に設定した水位を即座に確認することができるため、水位調整時の作業性をより一層向上することができる。
【００３６】
上記では、図１に示すトイレユニット１００のキャビネット１１０内に設けられる洗浄水タンク装置１０を例として本発明を説明したが、本発明は、アウタータンク内にインナータンクを持つ二重タンク構造を有する洗浄水タンク装置であっても適用可能である。
【００３７】
また上記では、洗浄水を貯水するタンクとしてロータンクを例示したが、タンクはロータンクに限定されず、例えばハイタンクであってもよい。
【００３８】
以上、実施の形態をもとに本発明を説明した。これらの実施形態は例示であり、各構成要素や各処理プロセスの組合せにいろいろな変形例が可能なこと、またそうした変形例も本発明の範囲にあることは当業者に理解されるところである。
【符号の説明】
【００３９】
１０  洗浄水タンク装置、  １１  ロータンク、  １２  ボールタップ、  １３  タンクレバー、  １４  オーバーフロー管、  １５  浮き、  １６  アーム、  １７  排水弁、  １８  鎖、  １９  給水管、  ２０  内タンク部、  ２１  内タンク本体、  ２２  水位調整部材、  ２３  浮子、  ２４  凹部、  ２５  底孔、  ２６  プレート部、  ２７  把持部、  ２８  摘み部、  ２９  側壁、  ３０  保持構造、  ３１  保持片部、  ３２  保持溝部、  ３３  目盛部、  ３４  目盛、  ３５  目盛孔、  ３６  洗浄水給水部。
【図１】
2015190110.tif 000003
【図２】
2015190110.tif 000004
【図３】
2015190110.tif 000005
【図４】
2015190110.tif 000006
【図５】
2015190110.tif 000007
【図６】
2015190110.tif 000008
【図７】
2015190110.tif 000009
【図８】
2015190110.tif 000010
【図９】
2015190110.tif 000011
【図１０】
2015190110.tif 000012